(57)【要約】【課題】装置内部でのトレース情報の転送の制限によってトレース情報の欠落が生じたことを明示することができる擬似基地局装置を提供すること。【解決手段】通信部１２は、トレース情報送信可能状態にあるときには、通信の履歴を表すトレース情報をトレース情報記憶部３０にバス１５を介して送信する一方、非トレース情報送信可能状態にあるときには、トレース情報の送信を中止し、制御部１３は、通信部１２がトレース情報送信可能状態である場合には、トレース情報記憶部３０に記憶されたトレース情報をバス１５を介して取得し、取得したトレース情報のリストを表示部１７に表示させ、通信部１２が非トレース情報送信可能状態になった場合には、リストの該当する位置にトレース情報の欠落がある旨の欠落情報を表示させる。【選択図】図１
2008193314.tif 000002
【特許請求の範囲】
【請求項１】
被試験端末（２）と通信を行うと共に前記通信の履歴を表すトレース情報を生成する通信部（１２）と、
前記通信部を制御する制御部（１３）と、
前記通信部および前記制御部にバスを介して接続され、前記通信部によって送信された前記トレース情報を一時的に記憶するトレース情報記憶部（３０）とを備え、
前記通信部は、前記トレース情報記憶部に前記トレース情報を記憶させることができるトレース情報送信可能状態にあるときには、前記トレース情報を前記トレース情報記憶部に前記バスを介して送信する一方、前記トレース情報送信可能状態でない非トレース情報送信可能状態にあるときには、前記トレース情報を欠落させ、
前記制御部は、前記通信部が前記トレース情報送信可能状態である場合には、前記トレース情報記憶部に記憶されたトレース情報を前記バスを介して取得し、取得したトレース情報のリストを表示部（１７）に表示させ、前記通信部が前記非トレース情報送信可能状態になった場合には、前記リストの該当する位置にトレース情報の欠落がある旨の欠落情報を表示させることを特徴とする擬似基地局装置。
【請求項２】
前記通信部は、前記非トレース情報送信可能状態にあるときに欠落させたトレース情報を通信レイヤ毎に集計し、
前記制御部は、前記通信部によって集計された結果を前記表示部に表示させることを特徴とする請求項１に記載の擬似基地局装置。
【請求項３】
前記通信部および前記制御部に前記バスを介して接続され、前記通信部を制御するために前記制御部から前記通信部に送信された前記制御情報および前記制御情報の受信に応答するために前記通信部から前記制御部に送信された応答情報を一時的に記憶する制御情報記憶部（３１）を備え、
前記通信部および前記制御部の少なくとも一方は、前記制御情報記憶部に読み書きする情報を転送するための制御用帯域と、前記トレース情報記憶部に読み書きする情報を転送するためのトレース用帯域とを前記バスの帯域のなかで割り当てることを特徴とする請求項１または請求項２に記載の擬似基地局装置。
【請求項４】
前記通信部および前記制御部の少なくとも一方は、前記制御用帯域を前記トレース用帯域より広く割り当てることを特徴とする請求項３に記載の擬似基地局装置。
【請求項５】
前記通信部は、前記非トレース情報送信可能状態になった場合には、前記非トレース情報送信可能状態になったことを表す状態情報を前記制御情報記憶部を介して前記制御部に送信することを特徴とする請求項４に記載の擬似基地局装置。
【請求項６】
前記通信部は、前記トレース情報記憶部に送信するトレース情報の転送レートを計測し、前記転送レートが予め定められた閾値未満である場合には、前記トレース情報送信可能状態をとり、前記転送レートが前記閾値以上である場合には、前記非トレース情報送信可能状態をとることを特徴とする請求項１ないし請求項５の何れかに記載の擬似基地局装置。
【請求項７】
前記トレース情報記憶部における前記トレース情報の記憶量を監視するメモリ管理部（３２）を備え、
前記通信部は、前記メモリ管理部によって前記記憶量が予め定められた閾値未満であると判断された場合には、前記トレース情報送信可能状態をとり、前記記憶量が前記閾値以上であると判断された場合には、前記非トレース情報送信可能状態をとることを特徴とする請求項１ないし請求項５の何れかに記載の擬似基地局装置。
【請求項８】
前記トレース情報記憶部における前記トレース情報の記憶量を監視するメモリ管理部（３２）を備え、
前記通信部は、前記トレース情報記憶部に送信するトレース情報の転送レートを計測し、前記転送レートが予め定められた第１の閾値未満であり、かつ、前記メモリ管理部によって前記記憶量が予め定められた第２の閾値未満であると判断された場合には、前記トレース情報送信可能状態をとり、前記転送レートが前記第１の閾値以上である場合、または、前記メモリ管理部によって前記記憶量が前記第２の閾値以上であると判断された場合には、前記非トレース情報送信可能状態をとることを特徴とする請求項１ないし請求項５の何れかに記載の擬似基地局装置。
【請求項９】
前記通信部は、前記トレース情報記憶部に記憶させるトレース情報を予め設定された条件に従ってフィルタリングするトレース情報フィルタ（４２）を有することを特徴とする請求項１ないし請求項８の何れかに記載の擬似基地局装置。
【請求項１０】
前記通信部は、前記トレース情報記憶部に記憶させるトレース情報をバッファリングするトレース情報バッファ（４１）と、
前記トレース情報バッファにバッファリングさせるトレース情報を予め設定された条件に従ってフィルタリングするトレース情報フィルタ（４２）とを有することを特徴とする請求項１ないし請求項８の何れかに記載の擬似基地局装置。
【請求項１１】
前記通信部は、少なくとも物理レイヤにおけるトレース情報を生成することを特徴とする請求項１ないし請求項１０の何れかに記載の擬似基地局装置。
【発明の詳細な説明】
【技術分野】
【０００１】
本発明は、携帯端末等の被試験端末を試験するための擬似基地局装置に関し、特に、基地局や対向端末等といった被試験端末に対して通信回線側の機器を擬似する擬似基地局装置に関するものである。
【背景技術】
【０００２】
従来、被試験端末を試験するための擬似基地局装置としては、例えば、被試験端末との間で各種の通信情報を送受信する通信部と被試験端末との間で順次送受信される各通信情報のログ情報を順次検出し、検出した複数のログ情報をトレース情報として記憶保持し、記憶保持したトレース情報を構成する複数のログ情報を表示器に表示する際に、表示器に表示されたトレース情報を構成する複数のログ情報のうち、指定された情報を有するログ情報に対してフィルタマーカを付加することにより、順次検出されるログ情報のうち、指定されたログ情報を簡単に識別させるものがある（例えば、特許文献１参照）。
【０００３】
一方、Ｗ−ＣＤＭＡ（Wideband Code Division Multiple Access）通信方式等に準拠して行われる移動体通信において、３ＧＰＰ（3rd Generation Partnership Project）規格のＴＳ２５．３０８で規定されているＨＳＤＰＡ（High Speed Downlink Packet Access）やＨＳＵＰＡ（High Speed Uplink Packet Access）といった高速通信の規格が採用されるようになってきたため、擬似基地局装置が被試験端末と送受信する情報の量が増大すると共に、単位時間当たりに処理する必要があるトレース情報の量も増大している。
【０００４】
このため、擬似基地局装置において、通信に関する情報（通信上のメッセージやデータ等）やトレース情報を内部で転送するためのバスやバッファの容量が不足することがある。このような内部のバスやバッファの容量不足を防止するために、従来の擬似基地局装置には、内部のバスやバッファの容量不足が起こったときに、通信に関する情報に比べて重要度が低いトレース情報等の転送を制限する必要があった。
【特許文献１】特開２００６−１７４１７３号公報
【発明の開示】
【発明が解決しようとする課題】
【０００５】
しかしながら、上述したような従来の技術では、トレース情報の転送を不定期に制限してしまうため、試験者がトレース情報に基づいて試験結果を解析する際に、トレース情報の欠落が装置内部でのトレース情報の転送の制限によるものなのか、被試験端末の試験の結果を表すものなのかを判断することができない、すなわち、装置内部でのトレース情報の転送の制限によってトレース情報の欠落が生じたことを明示することができないといった課題があった。
【０００６】
本発明は、従来の課題を解決するためになされたもので、装置内部でのトレース情報の転送の制限によってトレース情報の欠落が生じたことを明示することができる擬似基地局装置を提供することを目的とする。
【課題を解決するための手段】
【０００７】
本発明の擬似基地局装置は、被試験端末（２）と通信を行うと共に前記通信の履歴を表すトレース情報を生成する通信部（１２）と、前記通信部を制御する制御部（１３）と、前記通信部および前記制御部にバスを介して接続され、前記通信部によって送信された前記トレース情報を一時的に記憶するトレース情報記憶部（３０）とを備え、前記通信部は、前記トレース情報記憶部に前記トレース情報を記憶させることができるトレース情報送信可能状態にあるときには、前記トレース情報を前記トレース情報記憶部に前記バスを介して送信する一方、前記トレース情報送信可能状態でない非トレース情報送信可能状態にあるときには、前記トレース情報を欠落させ、前記制御部は、前記通信部が前記トレース情報送信可能状態である場合には、前記トレース情報記憶部に記憶されたトレース情報を前記バスを介して取得し、取得したトレース情報のリストを表示部（１７）に表示させ、前記通信部が前記非トレース情報送信可能状態になった場合には、前記リストの該当する位置にトレース情報の欠落がある旨の欠落情報を表示させる構成を有している。
【０００８】
この構成により、本発明の擬似基地局装置は、トレース情報の欠落が生じたときに、表示部に表示されているトレース情報のリストの該当する位置にトレース情報の欠落がある旨を表示させるため、装置内部でのトレース情報の転送の制限によってトレース情報の欠落が生じたことを明示することができる。
【０００９】
なお、前記通信部は、前記非トレース情報送信可能状態にあるときに欠落させたトレース情報を通信レイヤ毎に集計し、前記制御部は、前記通信部によって集計された結果を前記表示部に表示させるようにしてもよい。
【００１０】
この構成により、本発明の擬似基地局装置は、欠落したトレース情報の集計結果を通信レイヤ毎に表示部に表示させるため、欠落したトレース情報の詳細な情報を明示することができる。
【００１１】
また、本発明の擬似基地局装置は、前記通信部および前記制御部に前記バスを介して接続され、前記通信部を制御するために前記制御部から前記通信部に送信された前記制御情報および前記制御情報の受信に応答するために前記通信部から前記制御部に送信された応答情報を一時的に記憶する制御情報記憶部（３１）を備え、前記通信部および前記制御部の少なくとも一方は、前記制御情報記憶部に読み書きする情報を転送するための制御用帯域と、前記トレース情報記憶部に読み書きする情報を転送するためのトレース用帯域とを前記バスの帯域のなかで割り当てるようにしてもよい。
【００１２】
この構成により、本発明の擬似基地局装置は、制御情報および応答情報と、トレース情報とを異なる帯域で制限することがきる。
【００１３】
また、前記通信部および前記制御部の少なくとも一方は、前記制御用帯域を前記トレース用帯域より広く割り当てるようにしてもよい。
【００１４】
この構成により、本発明の擬似基地局装置は、制御情報および応答情報をトレース情報より優先して転送することができる。
【００１５】
また、前記通信部は、前記非トレース情報送信可能状態になった場合には、前記非トレース情報送信可能状態になったことを表す状態情報を前記制御情報記憶部を介して前記制御部に送信するようにしてもよい。
【００１６】
この構成により、本発明の擬似基地局装置は、トレース情報に欠落が生じたことを制御情報や応答情報と同じ優先度で転送することができるため、トレース情報に欠落が生じたことをより確実に通信部から制御部に伝えることができる。
【００１７】
また、前記通信部は、前記トレース情報記憶部に送信するトレース情報の転送レートを計測し、前記転送レートが予め定められた閾値未満である場合には、前記トレース情報送信可能状態をとり、前記転送レートが前記閾値以上である場合には、前記非トレース情報送信可能状態をとるようにしてもよい。
【００１８】
この構成により、本発明の擬似基地局装置は、バスの容量が不足する前にトレース情報の転送を停止することができるため、バスの容量不足を防止することができる。
【００１９】
また、本発明の擬似基地局装置は、前記トレース情報記憶部における前記トレース情報の記憶量を監視するメモリ管理部（３２）を備え、前記通信部は、前記メモリ管理部によって前記記憶量が予め定められた閾値未満であると判断された場合には、前記トレース情報送信可能状態をとり、前記記憶量が前記閾値以上であると判断された場合には、前記非トレース情報送信可能状態をとるようにしてもよい。
【００２０】
この構成により、本発明の擬似基地局装置は、トレース情報記憶部の容量が不足する前にトレース情報の転送を停止することができるため、トレース情報記憶部の容量不足を防止することができる。
【００２１】
また、本発明の擬似基地局装置は、前記トレース情報記憶部における前記トレース情報の記憶量を監視するメモリ管理部（３２）を備え、前記通信部は、前記トレース情報記憶部に送信するトレース情報の転送レートを計測し、前記転送レートが予め定められた第１の閾値未満であり、かつ、前記メモリ管理部によって前記記憶量が予め定められた第２の閾値未満であると判断された場合には、前記トレース情報送信可能状態をとり、前記転送レートが前記第１の閾値以上である場合、または、前記メモリ管理部によって前記記憶量が前記第２の閾値以上であると判断された場合には、前記非トレース情報送信可能状態をとるようにしてもよい。
【００２２】
この構成により、本発明の擬似基地局装置は、バスまたはトレース情報記憶部の容量が不足する前にトレース情報の転送を停止することができるため、バスおよびトレース情報記憶部の容量不足を防止することができる。
【００２３】
また、前記通信部は、前記トレース情報記憶部に記憶させるトレース情報を予め設定された条件に従ってフィルタリングするトレース情報フィルタ（４２）を有するようにしてもよい。
【００２４】
この構成により、本発明の擬似基地局装置は、トレース情報記憶部に記憶させるトレース情報を制限することができるため、バスやトレース情報記憶部の容量不足を防止することができる。
【００２５】
また、前記通信部は、前記トレース情報記憶部に記憶させるトレース情報をバッファリングするトレース情報バッファ（４１）と、前記トレース情報バッファにバッファリングさせるトレース情報を予め設定された条件に従ってフィルタリングするトレース情報フィルタ（４２）とを有するようにしてもよい。
【００２６】
この構成により、本発明の擬似基地局装置は、トレース情報バッファに記憶させるトレース情報を制限することができるため、トレース情報バッファ、バスおよびトレース情報記憶部の容量不足を防止することができる。
【００２７】
また、前記通信部は、少なくとも物理レイヤにおけるトレース情報を生成するようにしてもよい。
【発明の効果】
【００２８】
本発明は、装置内部でのトレース情報の転送の制限によってトレース情報の欠落が生じたことを明示することができる擬似基地局装置を提供することができる。
【発明を実施するための最良の形態】
【００２９】
以下、本発明の実施の形態について、図面を参照して説明する。なお、本実施の形態においては、ＨＳＤＰＡおよびＨＳＵＰＡ規格を採用したＷ−ＣＤＭＡ通信方式に準拠して通信する非試験装置を試験するものに本発明の擬似基地局装置を適用した例について説明する。
【００３０】
図１は、本発明の一実施の形態の擬似基地局装置のブロック図である。
【００３１】
擬似基地局装置１は、被試験端末２と通信するための無線信号を送受信するＲＦ（Radio Frequency）部１０と、被試験端末２の対向端末３を接続するためのＴＥ（Terminal Equipment）インタフェイス部１１と、ＲＦ部１０を介した被試験端末２との通信、ＴＥインタフェイス部１１を介した対向端末３との通信、および、外付けされたサーバ装置４との通信を行う通信部１２と、通信部１２に制御情報を送信することによって通信部１２を制御する制御部１３と、バス１５を介して接続された通信部１２および制御部１３によって情報が読み書きされる共通記憶部１４と、擬似基地局装置１に設けられた液晶ディスプレイ等によって構成された表示部１７と、擬似基地局装置１に設けられた操作パネル、タッチパネルまたはキーボード等によって構成された操作部１８とを備えている。
【００３２】
通信部１２は、各通信レイヤの処理を管理するレイヤ管理部２０と、被試験端末２等との通信の履歴を表すトレース情報を管理するトレース情報管理部２１とを有している。
【００３３】
レイヤ管理部２０は、ＴＥレイヤ、ＰＰＰ（Point to Point Protocol）レイヤおよびＰＤＣＰ（Packet Data Convergence Protocol）レイヤの処理を実行するTE/PPP/PDCP処理部２２と、ＲＬＣ（Radio Link Control）レイヤおよびＭＡＣ（Medium Access Control）レイヤの処理を実行するRLC/MAC処理部２３と、物理（以下、単に「ＰＨＹ」と記載する。）レイヤの処理を実行するＰＨＹ処理部２４とを有している。
【００３４】
ＰＨＹ処理部２４は、ＰＨＹチャネルの送信処理やトランスポートチャネルの符号化処理を行うCode/Mod部２５と、ＰＨＹチャネルの受信処理やトランスポートチャネルの復号処理を行うDecode/Demod部２６と、ＨＳＤＰＡ規格に準拠した送信処理を行うＨＳＤＰＡ部２７と、ＨＳＵＰＡ規格に準拠した受信処理を行うＨＳＵＰＡ部２８とを有している。
【００３５】
なお、本実施の形態において、トレース情報管理部２１、TE/PPP/PDCP処理部２２、RLC/MAC処理部２３、Code/Mod部２５、Decode/Demod部２６、ＨＳＤＰＡ部２７およびＨＳＵＰＡ部２８は、各処理を実行するようにプログラミングされたＤＳＰ（Digital Signal Processor）等のプロセッサによってそれぞれ構成されている。
【００３６】
レイヤ管理部２０を構成する各部２２乃至２８は、制御部１３よって送信された制御情報にしたがって各処理を実行すると共に、当該処理を実行する度に、当該処理の履歴を表すトレース情報を生成するようになっている。
【００３７】
トレース情報管理部２１は、バス１５を介して共通記憶部１４にトレース情報を送信するようになっている。ここで、共通記憶部１４は、例えばＦＩＦＯ（First In First Out）方式で読み書きされるメモリによって構成され、トレース情報を一時的に記憶するためのトレース情報記憶部３０と、制御部１３からレイヤ管理部２０に送信された制御情報および制御情報の受信に応答するためにレイヤ管理部２０から制御部１３に送信された応答情報を一時的に記憶するための制御情報記憶部３１を有している。
【００３８】
また、共通記憶部１４には、トレース情報記憶部３０を構成するメモリ内、または、当該メモリの外部に設けられた回路によって構成され、トレース情報記憶部３０の記憶量の監視、およびトレース情報記憶部３０に記憶されたトレース情報の管理を行うメモリ管理部３２が設けられている。
【００３９】
メモリ管理部３２は、トレース情報記憶部３０におけるトレース情報の記憶量が予め定められた容量閾値未満であるか否かを判断し、トレース情報の記憶量が容量閾値未満になったときや、容量閾値以上になったときに、この判断結果をトレース情報管理部２１にバス１５を介して送信するようになっている。ここで、容量閾値は、トレース情報記憶部３０の記憶容量より若干少なめに定められている。
【００４０】
また、メモリ管理部３２は、トレース情報記憶部３０におけるトレース情報の記憶量が容量閾値以上になったときに、トレース情報記憶部３０に記憶されているトレース情報をクリアし、クリアしたトレース情報に関する情報を判断結果とともにトレース情報管理部２１に送信するようになっている。
【００４１】
なお、メモリ管理部３２は、トレース情報記憶部３０におけるトレース情報の記憶量が予め定められた容量閾値未満であるか否かを判断するのに代えて、トレース情報記憶部３０におけるトレース情報の記憶残量が予め定められた残量閾値以上であるか否かを判断するようにしてもよい。
【００４２】
トレース情報管理部２１は、トレース情報記憶部３０に送信するトレース情報をバッファリングするトレース情報バッファ４１と、トレース情報バッファ４１からトレース情報記憶部３０に送信されるトレース情報をフィルタリングするトレース情報フィルタ４２とを有している。
【００４３】
ここで、トレース情報フィルタ４２は、操作部１８および制御部１３を介して予め設定された条件に従ってトレース情報をフィルタリングするようになっている。例えば、制御部１３は、図２に示すようなフィルタ設定画面を表示部１７に表示させ、操作部１８を介してトレース情報フィルタ４２のフィルタリングの条件を設定させるようなっている。
【００４４】
図２に示したフィルタ設定画面には、各レイヤにおける要求（Ｒｅｑｕｅｓｔ，ＲＥＱ）、指示（Ｉｎｄｉｃａｔｉｏｎ，ＩＮＤ）、確認（Ｃｏｎｆｉｒｍ，ＣＮＦ）および応答（Ｒｅｓｐｏｎｓｅ，ＲＥＳＰ）の各プリミティブのトレース情報をフィルタリングするか否かの条件を決定するためのコントローラ５０が表示される。
【００４５】
制御部１３は、操作部１８を介した操作に基づいて各コントローラ５０の状態を変化させ、フィルタ設定画面上に設けたＯＫボタン５１が操作されたときに、各コントローラ５０の状態に基づいてトレース情報フィルタ４２のフィルタリングの条件を設定するようになっている。
【００４６】
このように、トレース情報フィルタ４２が、バス１５を介してトレース情報記憶部３０に記憶させるトレース情報を例えば操作者に必要なトレース情報のみに制限するため、バス１５やトレース情報記憶部３０の容量不足が防止される。
【００４７】
なお、制御部１３は、各レイヤにおける各チャネルや上り／下りの各通信方向における各プリミティブのトレース情報をフィルタリングするか否かを設定させるコントローラをフィルタ設定画面上にさらに表示させ、トレース情報フィルタ４２のフィルタリングの条件をより詳細に設定させるようにしてもよい。
【００４８】
図１において、通信部１２と制御部１３とは、制御情報記憶部３１に読み書きする情報を転送するための制御用帯域と、トレース情報記憶部３０に読み書きする情報を転送するためのトレース用帯域とをバス１５の帯域のなかで割り当てるようになっている。
【００４９】
ここで、通信部１２および制御部１３は、制御情報および応答情報が優先的に転送されるように制御用帯域をトレース用帯域より広く割り当てるようになっている。なお、通信部１２および制御部１３は、制御用帯域およびトレース用帯域をそれぞれ固定に割り当てるようにしてもよく、情報転送量等に基づいて動的に割り当てるようにしてもよい。また、通信部１２および制御部１３の一方が、制御用帯域とトレース用帯域とを割り当てるようにしてもよい。
【００５０】
トレース情報管理部２１は、トレース情報記憶部３０に送信すべきトレース情報の転送レートを計測し、計測した転送レートがトレース用帯域未満であり、かつ、トレース情報記憶部３０におけるトレース情報の記憶量が容量閾値未満であるとメモリ管理部３２によって判断された場合には、トレース情報送信可能状態をとるようになっている。
【００５１】
一方、トレース情報管理部２１は、計測した転送レートがトレース用帯域以上である場合、または、トレース情報記憶部３０におけるトレース情報の記憶量が容量閾値以上であるとメモリ管理部３２によって判断された場合には、トレース情報が送信できない状態である非トレース情報送信可能状態をとるようになっている。
【００５２】
トレース情報送信可能状態にあるとき、トレース情報管理部２１は、レイヤ管理部２０で生成されたトレース情報をトレース情報記憶部３０にバス１５を介して送信するようになっている。
【００５３】
一方、非トレース情報送信可能状態にあるとき、トレース情報管理部２１は、トレース情報バッファ４１にバッファリングされたトレース情報をクリアするとともに、レイヤ管理部２０で生成されたトレース情報を欠落させる、すなわち、当該トレース情報を廃棄するようになっている。
【００５４】
また、トレース情報管理部２１は、トレース情報送信可能状態から非トレース情報送信可能状態になったときに、非トレース情報送信可能状態になったことを表す状態情報を制御情報記憶部３１にバス１５を介して送信するようになっている。
【００５５】
また、非トレース情報送信可能状態にあるときに、トレース情報管理部２１は、トレース情報記憶部３０においてメモリ管理部３２によってクリアされたトレース情報と、廃棄したトレース情報とを通信レイヤ毎に集計し、非トレース情報送信可能状態からトレース情報送信可能状態になったときに、集計結果を表す集計情報を制御情報記憶部３１にバス１５を介して送信するようになっている。
【００５６】
制御部１３は、ＣＰＵ（Central Processing Unit）等のプロセッサと、ＲＯＭ（Read Only Memory）等の不揮発性の記憶媒体とによって構成され、不揮発性の記憶媒体によって構成されたシナリオ記憶部６０と、プロセッサによって構成されたシナリオ実行部６１とを有している。
【００５７】
ここで、シナリオとは、通信部１２に対する制御情報の送信処理等が記述されたプログラムのことをいう。なお、このプログラムは、プロセッサが実行可能な形式にコンパイルされたものでもよく、プロセッサが言語解析しながら実行する形式のものでもよい。
【００５８】
制御部１３は、シナリオにしたがって制御情報を共通記憶部１４の制御情報記憶部３１にバス１５を介して送信し、制御情報を順次記憶させるようになっている。一方、レイヤ管理部２０は、制御情報記憶部３１から制御情報をバス１５を介して順次取得し、取得した制御情報に基づいて各処理を実行するようになっている。
【００５９】
また、レイヤ管理部２０は、制御情報に基づいて実行した各処理により応答情報を生成した場合には、この応答情報を共通記憶部１４の制御情報記憶部３１にバス１５を介して送信し、制御情報を順次記憶させるようになっている。一方、制御部１３は、制御情報記憶部３１から応答情報をバス１５を介して順次取得し、取得した応答情報をイベントとしてシナリオを実行するようになっている。
【００６０】
また、制御部１３は、トレース情報管理部２１によってトレース情報記憶部３０に記憶されたトレース情報をバス１５を介して順次取得し、取得したトレース情報のリストを表示部１７に表示させるようになっている。
【００６１】
ここで、制御部１３は、レイヤ管理部２０によって制御情報記憶部３１に記憶された応答情報をバス１５を介して順次取得したときに、トレース情報管理部２１によって制御情報記憶部３１に記憶された状態情報を取得した場合には、トレース情報記憶部３０に記憶されたトレース情報の取得を停止すると共に、図３に示すように、表示部１７に表示されているリスト７０の該当する位置にトレース情報の欠落がある旨を表す欠落情報７１を表示させるようになっている。
【００６２】
また、制御部１３は、トレース情報管理部２１によって制御情報記憶部３１に記憶された集計情報を取得した場合には、トレース情報記憶部３０に記憶されたトレース情報の取得を再開すると共に、集計情報が表す詳細な欠落情報７２、すなわち、トレース情報記憶部３０においてメモリ管理部３２がクリアしたトレース情報と、トレース情報管理部２１が廃棄したトレース情報とを通信レイヤ毎に集計した結果を操作部１８の操作に応じて表示部１７に表示させるようになっている。
【００６３】
例えば、欠落情報７１が操作部１８を介して指定された場合には、制御部１３は、欠落情報７１に対応する詳細な欠落情報７２を、リスト７０と同一画面上に予め割り当てられた別領域に表示させるようにしてもよく、新規ウインドウやポップアップウインドウ等の新たな領域を画面上に割り当てて、その領域に表示させるようにしてもよい。
【００６４】
以上のように構成された擬似基地局装置１の動作を図４を用いて以下に説明する。図４は、トレース情報管理部２１および制御部１３によるトレース情報の処理動作を示すシーケンス図である。なお、以下に説明するトレース情報の処理動作は、レイヤ管理部２０と制御部１３とにおける制御情報および応答情報の送受信動作と並列に実行される。
【００６５】
トレース情報管理部２１がトレース情報送信可能状態にあるとき、レイヤ管理部２０で生成されたトレース情報は、トレース情報管理部２１からトレース情報記憶部３０に送信され、トレース情報記憶部３０に記憶される（Ｓ１）。
【００６６】
一方、トレース情報管理部２１に記憶されたトレース情報は、トレース情報記憶部３０から制御部１３によって順次取得され（Ｓ２）、表示部１７にリスト表示される（Ｓ３）。
【００６７】
トレース情報管理部２１が非トレース情報送信可能状態になった場合には（Ｓ４）、トレース情報管理部２１が非トレース情報送信可能状態になったことを表す状態情報が、トレース情報管理部２１から制御情報記憶部３１に送信され、制御情報記憶部３１に記憶される（Ｓ５）。
【００６８】
一方、制御情報記憶部３１に記憶された状態情報は、制御部１３によって取得される（Ｓ６）。制御部１３によって状態情報が取得されると、制御部１３によるトレース情報の取得処理が停止されると共に（Ｓ７）、表示部１７に表示されたトレース情報のリストの該当位置に状態情報が欠落情報として表示される（Ｓ８）。
【００６９】
また、トレース情報記憶部３０に記憶されているトレース情報がメモリ管理部３２によってクリアされるとともに、トレース情報バッファ４１にバッファリングされているトレース情報がトレース情報管理部２１によってクリアされ（Ｓ９）、メモリ管理部３２によってクリアされたトレース情報と、トレース情報管理部２１によってクリアされたトレース情報と、トレース情報管理部２１によって欠落されたトレース情報とがトレース情報管理部２１によって通信レイヤ毎に集計される（Ｓ１０）。
【００７０】
ここで、トレース情報管理部２１がトレース情報送信可能状態になった場合には（Ｓ１１）、トレース情報管理部２１による集計の結果を表す集計情報が、トレース情報管理部２１から制御情報記憶部３１に送信され、制御情報記憶部３１に記憶される（Ｓ１２）。
【００７１】
一方、制御情報記憶部３１に記憶された集計情報は、制御部１３によって取得される（Ｓ１３）。制御部１３によって集計情報が取得されると、制御部１３によるトレース情報の取得処理が再開される（Ｓ１４）。
【００７２】
制御部１３によって取得された集計情報は、操作部１８を介した操作（例えば、トレース情報のリストに表示された欠落情報のダブルクリック）に応じて制御部１３によって詳細な欠落情報として表示部１７に表示される。一方、トレース情報管理部２１では、レイヤ管理部２０で生成されたトレース情報の送信が再開される。
【００７３】
このように、本発明の一実施の形態の擬似基地局装置１は、トレース情報の欠落が生じたときに、表示部１７に表示されているトレース情報のリストの該当する位置にトレース情報の欠落がある旨を表示させるため、装置内部でのトレース情報の転送の制限によってトレース情報の欠落が生じたことを明示することができる。
【００７４】
なお、本実施の形態において、ＨＳＤＰＡおよびＨＳＵＰＡ規格を採用したＷ−ＣＤＭＡ通信方式に準拠して通信する非試験装置を試験するものに本発明の擬似基地局装置を適用した例について説明したが、本発明の擬似基地局装置が、他の規格を採用したＷ−ＣＤＭＡ通信方式に準拠して通信する非試験装置を試験するものや、ＧＳＭ（Global System for Mobile Communications）やＣＤＭＡ２０００等の他の通信方式に準拠して通信する非試験装置を試験するものに適用することもできることは、本実施の形態の説明から明らかである。
【００７５】
また、本実施の形態において、擬似基地局装置１がＲＦ部１０を介して被試験端末２と無線で通信するものとして説明したが、外乱ノイズ等の外部の影響を抑制するために、擬似基地局装置１と被試験端末２とを有線で接続するようにしてもよい。
【００７６】
また、本実施の形態において、表示部１７および操作部１８が擬似基地局装置１に備えられたものとして説明したが、表示部１７および操作部１８を外付けのものによって構成し、外付けの表示部１７および操作部１８とのインタフェイスを擬似基地局装置１に備えるようにしてもよい。
【００７７】
また、本実施の形態において、トレース情報管理部２１のトレース情報フィルタ４２は、トレース情報バッファ４１から共通記憶部１４に送信するトレース情報をフィルタリングするものとして説明したが、トレース情報フィルタ４２は、トレース情報バッファ４１にバッファリングされるトレース情報をフィルタリングするようにしてもよい。
【図面の簡単な説明】
【００７８】
【図１】本発明の一実施の形態に係る擬似基地局装置の構成を示すブロック図である。
【図２】本発明の一実施の形態に係る擬似基地局装置を構成するトレース情報フィルタにフィルタ条件を設定するための設定画面の例を示す図である。
【図３】本発明の一実施の形態に係る擬似基地局装置を構成する制御部によるトレース情報および欠落情報の表示例を示す図である。
【図４】本発明の一実施の形態に係る擬似基地局装置の動作を示すシーケンス図である。
【符号の説明】
【００７９】
１  擬似基地局装置
２  被試験端末
３  対向端末
４  サーバ装置
１０  ＲＦ部
１１  ＴＥインタフェイス部
１２  通信部
１３  制御部
１４  共通記憶部
１５  バス
１７  表示部
１８  操作部
２０  レイヤ管理部
２１  トレース情報管理部
２２  TE/PPP/PDCP処理部
２３  RLC/MAC処理部
２４  ＰＨＹ処理部
２５  Code/Mod部
２６  Decode/Demod部
２７  ＨＳＤＰＡ部
２８  ＨＳＵＰＡ部
３０  トレース情報記憶部
３１  制御情報記憶部
３２  メモリ管理部
４１  トレース情報バッファ
４２  トレース情報フィルタ
６０  シナリオ記憶部
６１  シナリオ実行部
【図１】
2008193314.tif 000003
【図２】
2008193314.tif 000004
【図４】
2008193314.tif 000005
【図３】
2008193314.tif 000006